(57)【要約】【課題】画像形成装置を使用した際の様々な場面に対処するための操作をプレビュー表示上で受け付けることができる画像形成装置を提供する。【解決手段】操作装置１０２は、印刷設定に応じて画像データのプレビュー画像をプレビュー画面５０１に表示すると共に、入力操作の受け付けが可能なタッチスクリーン（１３０７）を有する。表示制御部４０１は、印刷設定に基づく画像形成装置１０１の印刷ジョブの実行状況に連動してプレビュー画面５０１に表示されたプレビュー画像を含む表示内容を更新する。操作受付部４０３は、タッチ操作検知部４０２の検知結果、及び、タッチ状態判別部４０４の判別結果に基づき、プレビュー画像に対して行われた操作の内容を特定する。ジョブ制御部４０６は、特定された操作内容に応じて、その後画像形成装置１０１において実行される印刷ジョブの内容を変更する。【選択図】図４
2018183998.tif 000002
【特許請求の範囲】
【請求項１】
印刷設定に応じて画像データのプレビュー画像を表示画面に表示すると共に入力操作を受け付ける表示部を有する画像形成装置であって、
前記印刷設定に基づく印刷ジョブの実行状況に連動して前記表示画面に表示されたプレビュー画像を含む表示内容を更新する表示制御手段と、
前記表示画面に表示されたプレビュー画像に対する操作を検知し、当該検知した操作の内容を特定する操作受付手段と、
前記操作受付手段が特定したプレビュー画像に対する操作内容に応じて、その後実行される印刷ジョブの内容を変更するジョブ制御手段と、を有することを特徴とする、
画像形成装置。
【請求項２】
前記ジョブ制御手段は、前記操作受付手段により特定された少なくとも前記印刷ジョブの中断、キャンセル、当該中断後の印刷再開を指示する前記プレビュー画像への操作毎に、その後実行される印刷ジョブの内容を変更することを特徴とする、
請求項１に記載の画像形成装置。
【請求項３】
前記表示制御手段は、前記ジョブ制御手段により変更された変更後の印刷ジョブの実行状況に連動して前記表示画面の表示内容を更新することを特徴とする、
請求項１又は２に記載の画像形成装置。
【請求項４】
前記表示制御手段は、少なくとも給紙、排紙の印刷ジョブの実行タイミングに連動して前記表示画面の表示内容を更新することを特徴とする、
請求項１、２又は３に記載の画像形成装置。
【請求項５】
前記表示制御手段は、前記印刷設定が一の用紙に対して複数の画像を形成する設定である場合に、当該複数の画像それぞれのプレビュー画像を一組として前記表示画面の表示内容を更新することを特徴とする、
請求項１乃至４いずれか一項に記載の画像形成装置。
【請求項６】
前記表示画面の表示内容を更新する速度の変更指示を受け付ける調整手段をさらに有し、
前記表示制御手段は、前記変更指示に基づく変更後の速度で前記表示画面の表示内容を更新し、
前記ジョブ制御手段は、前記調整手段が受け付けた変更指示に基づき、その後実行される印刷ジョブの印刷速度を変更することを特徴とする、
請求項１乃至５いずれか一項に記載の画像形成装置。
【請求項７】
印刷設定に応じて画像データのプレビュー画像を表示画面に表示すると共に入力操作を受け付ける表示部を有する画像形成装置の制御方法であって、
前記印刷設定に基づく印刷ジョブの実行状況に連動して前記表示画面に表示されたプレビュー画像を含む表示内容を更新する工程と、
前記表示画面に表示されたプレビュー画像に対する操作を検知し、当該検知した操作の内容を特定する工程と、
前記特定したプレビュー画像に対する操作内容に応じて、その後実行される印刷ジョブの内容を変更する工程と、を有することを特徴とする、
画像形成装置の制御方法。
【請求項８】
印刷設定に応じて画像データのプレビュー画像を表示画面に表示すると共に入力操作を受け付ける表示部を有するコンピュータを画像形成装置の操作部として動作させるためのコンピュータプログラムであって、
前記コンピュータを、
前記印刷設定に基づく印刷ジョブの実行状況に連動して前記表示画面に表示されたプレビュー画像を含む表示内容を更新する表示制御手段、
前記表示画面に表示されたプレビュー画像に対する操作を検知し、当該検知した操作の内容を特定する操作受付手段、
前記操作受付手段が特定したプレビュー画像に対する操作内容に応じて、その後実行される印刷ジョブの内容を変更するジョブ制御手段、として機能させることを特徴とする、
コンピュータプログラム。
【請求項９】
請求項８に記載のコンピュータプログラムをコンピュータが読み取り可能に記録した記録媒体。
【請求項１０】
画像形成装置と通信可能に接続されており、印刷設定に応じて画像データのプレビュー画像を表示画面に表示すると共に入力操作を受け付ける表示部を有する操作装置であって、
前記印刷設定に基づいた前記画像形成装置における印刷ジョブの実行状況に連動して前記表示画面に表示されたプレビュー画像を含む表示内容を更新する表示制御手段と、
前記表示画面に表示されたプレビュー画像に対する操作を検知し、当該検知した操作の内容を特定する操作受付手段と、
前記操作受付手段が特定したプレビュー画像に対する操作内容に応じて、その後、前記画像形成装置において実行される印刷ジョブの内容を変更するジョブ制御手段と、を有することを特徴とする、
操作装置。
【請求項１１】
画像形成装置と、当該画像形成装置と通信可能に接続されており、印刷設定に応じて画像データのプレビュー画像を表示画面に表示すると共に入力操作を受け付ける表示部を有する操作装置を含む画像形成システムであって、
前記操作装置は、
前記印刷設定に基づいた前記画像形成装置における印刷ジョブの実行状況に連動して前記表示画面に表示されたプレビュー画像を含む表示内容を更新する表示制御手段と、
前記表示画面に表示されたプレビュー画像に対する操作を検知し、当該検知した操作の内容を特定する操作受付手段と、
前記操作受付手段が特定したプレビュー画像に対する操作内容に応じて、その後、前記画像形成装置において実行される印刷ジョブの内容を変更するジョブ制御手段と、を有することを特徴とする、
画像形成システム。
【発明の詳細な説明】
【技術分野】
【０００１】
本発明は、プレビュー表示画面を介して印刷ジョブの変更が可能な画像形成装置及びその制御方法、コンピュータプログラム、印刷ジョブの変更を受け付ける操作装置、画像形成装置及び操作装置を含んだ画像形成システムに関する。特に、プレビュー表示画面上において、印刷処理の実行、中断、キャンセル、あるいはジャム発生からの印刷再開等の印刷ジョブの制御に関する。
【背景技術】
【０００２】
従来一般の画像形成装置における操作設定は、装置本体に備え付けの表示画面、例えばタッチパネルを備えた操作部を介して、ジョブ設定に必要な情報を確認したり、操作入力を受け付けたりする。操作入力においては、タッチパネル上のタッチ位置（タッチ座標）とその軌跡とから表されるフリック操作を検出可能な装置もある。
また、ユーザが表示画面を介して確認する情報は、例えばコピー、あるいはファックス送信等のジョブ実行指示の確認、あるいはこれらジョブの詳細設定の確認、印刷結果のイメージを表示するプレビュー表示により印刷前にその内容の確認などである。また、ユーザからの操作入力として、例えばジョブ実行の指示、詳細設定の変更指示（例えば、モード変更、印刷枚数等の数値変更の指示）、実行中のジョブの中断などの制御指示を受け付ける。
【０００３】
一方、多機能化した画像形成装置では、様々な機能を使いこなすための操作設定の「わかりやすさ」が、一つの製品価値を表す指標となっている。例えば、表示画面の大型化、選択ボタンの配置の仕方あるいは大きさ、色やアニメーションを用いた表現方法などが採用されている。その他にも、フリック操作を受付可能にすることで、広く利用されているスマートフォン、タブレットＰＣなどの操作感と親和性を持たせた装置もある。
この様に、画像形成装置には、ユーザが思い描いた通りに設定が行えたり、思い通りの仕上がりで印刷したりするための操作の「わかりやすさ」が求められている。
【０００４】
特許文献１に記載された画像形成装置は、ユーザが印刷出力物の確認を行いながらも、なるべく早く印刷出力物を得ることができる画像形成装置である。具体的には、画像の形成を継続しながら印刷出力する画像を１ページずつ表示する。この様なライブビュー表示を行うと共に、画像形成中において中止入力を受け付けた場合には、印刷出力を中止するというものである。
【先行技術文献】
【特許文献】
【０００５】
【特許文献１】特開２０１０−５２２９２号公報
【発明の概要】
【発明が解決しようとする課題】
【０００６】
しかしながら、特許文献１に記載された画像形成装置は、ユーザがこれから印刷出力する画像を１ページずつ確認しながら、印刷中止の受付を可能にする形態である。つまり、１ページずつの画像形成に連動した画面表示（プレビュー表示）である。そのため、両面印刷、あるいは２ｉｎ１縮小レイアウト印刷等の１枚の用紙に対して複数の画像を形成する印刷設定に対応したプレビュー表示を行うことができない、という課題が残る。
【０００７】
また、プレビュー表示上で、例えば、紙詰まり（ジャム）発生時におけるリカバリの指示、任意ページからの印刷再開の指示など、ユーザが遭遇する様々な場面への対処、所望の仕上がりにするための操作を受け付けることができない。
【０００８】
本発明は、このような問題に鑑みてなされたものであり、画像形成装置を使用した際の様々な場面に対処するための操作をプレビュー表示上で受け付けることができる画像形成装置を提供することを、主たる目的とする。
【課題を解決するための手段】
【０００９】
本発明の画像形成装置は、印刷設定に応じて画像データのプレビュー画像を表示画面に表示すると共に入力操作を受け付ける表示部を有する画像形成装置であって、前記印刷設定に基づく印刷ジョブの実行状況に連動して前記表示画面に表示されたプレビュー画像を含む表示内容を更新する表示制御手段と、前記表示画面に表示されたプレビュー画像に対する操作を検知し、当該検知した操作の内容を特定する操作受付手段と、前記操作受付手段が特定したプレビュー画像に対する操作内容に応じて、その後実行される印刷ジョブの内容を変更するジョブ制御手段と、を有することを特徴とする。
【発明の効果】
【００１０】
本発明によれば、印刷ジョブの実行状況に連動して表示画面に表示されたプレビュー画像を含む表示内容が更新される。また、表示画面に表示されたプレビュー画像に対する操作内容を特定し、特定した操作内容に応じて、その後実行される印刷ジョブの内容を変更することができる。これにより、画像形成装置を使用した際の様々な場面に対処するための操作の受け付けが可能になる。また、ユーザは、表示画面を視認して画像形成装置における印刷ジョブの実行状況を直感的に把握しながら、当該印刷ジョブの内容の変更を指示することができる。
【図面の簡単な説明】
【００１１】
【図１】画像形成システムＳの全体構成の一例を示す図。
【図２】本実施形態に係る操作装置のハードウェア構成の一例を示す図。
【図３】本実施形態に係る画像形成装置のハードウェア構成の一例を示す図。
【図４】操作装置の機能構成の一例を示すブロック図。
【図５】プレビュー画面の構成の一例を示す図。
【図６】（ａ）、（ｂ）は、プレビュー画面に表示されたプレビュー画像を介して行う印刷実行の指示を説明するための図。
【図７】（ａ）、（ｂ）、（ｃ）は、プレビュー画面の表示内容が印刷ジョブの実行状況に連動して更新されることを説明するための図。
【図８】（ａ）、（ｂ）は、印刷ジョブの実行中に紙詰まり（ジャム）が発生した際のプレビュー画面の表示例を示す図。
【図９】（ａ）、（ｂ）は、プレビュー画面に表示されたプレビュー画像を介して行う印刷中断の指示を説明するための図。
【図１０】（ａ）、（ｂ）は、プレビュー画面に表示されたプレビュー画像を介して行う印刷キャンセルの指示を説明するための図。
【図１１】印刷ジョブ制御の処理手順の一例を示すフローチャート。
【図１２】ジャム発生時の処理手順の詳細を示すフローチャート。
【図１３】印刷動作と連動して更新されるプレビュー画面の更新速度を変更する操作について説明するための図。
【図１４】更新速度変更時の処理手順の詳細を示すフローチャート。
【発明を実施するための形態】
【００１２】
以下、図面を参照しながら実施形態を説明する。
【００１３】
［実施形態］
図１は、本実施形態に係る画像形成装置、操作装置を含んだ画像形成システムＳの全体構成の一例を示す図である。画像形成システムＳは、例えばプリンタ、ファクシミリ、あるいはこれらの機能を備えた複合機である画像形成装置１０１、この画像形成装置１０１と双方向通信が可能な操作装置１０２とを含んで構成される。
操作装置１０２は、例えばスマートフォン、タブレットＰＣ等の携帯情報端末であり、画像形成装置１０１により実行される各種ジョブを制御するためのジョブ制御プログラムが実行可能にインストールされる。操作装置１０２は、また、予め画像形成装置１０１に備わる着脱可能な操作部であっても良い。画像形成装置１０１と操作装置１０２は、有線ＬＡＮネットワーク１０４、あるいは無線ＬＡＮネットワーク１０５などを介して通信可能に接続される。
なお、ユーザは、操作装置１０２を用いて画像形成装置１０１により実行される各種ジョブの制御を行うものとして説明を進める。また、印刷ジョブを一例に挙げて詳細に説明する。
【００１４】
画像形成装置１０１が実行する印刷ジョブの制御、例えば印刷の実行、中断、キャンセル等は、操作装置１０２に備わる表示画面に表示されたプレビュー画像をユーザが操作することにより行われる。詳細は後述する。
本実施形態に係る画像形成システムＳにおいては、画像形成装置１０１を直接的に操作するユーザＡ、あるいは、操作装置１０２を介して画像形成装置１０１を操作するユーザＢ共に、印刷ジョブの進捗状況を確認しつつ、必要なジョブ制御を行うことができる。
以下、画像形成装置１０１及び操作装置１０２の具体的な構成の詳細について説明する。
【００１５】
＜操作装置の構成＞  
図２は、本実施形態に係る操作装置１０２のハードウェア構成の一例を示す図である。
操作装置１０２は、ＣＰＵ（Central Processing Unit）１３０１、ＲＡＭ（Random Access Memory）１３０２、ＲＯＭ（Read Only Memory）１３０３、記録装置の一例であるＨＤＤ（ハードディスクドライブ）１３０４を含んで構成される。操作装置１０２は、また、Ｉ／Ｏ（インプット・アウトプットインタフェース）部１３０５、ネットワークＩ／Ｆ（インタフェース）部１３１０を有する。操作装置１０２は、また、タッチスクリーン制御部１３０６、マルチタッチの検出が可能な静電容量式タッチパネルと液晶画面（共に不図示）とを含んで構成されるタッチスクリーン１３０７を有する。操作装置１０２が有する各構成機器は、システムバス１２０７を介して相互に接続される。
【００１６】
ＣＰＵ１３０１は、ＯＳ（Operating System）、アプリケーションソフトウエアなどの各プログラムをＨＤＤ１３０４から読み出して実行することにより、各種機能を実現する。ＲＡＭ１３０２は、ＣＰＵ１３０１が各種プログラムを実行する際のシステムワークメモリである。ＲＯＭ１３０３は、ＢＩＯＳ（Basic Input Output System）、ＯＳを起動するためのプログラム、各種設定ファイルなどを記憶する。ＨＤＤ１３０４は、システムソフトウエア、各種データなどを格納する。ネットワークＩ／Ｆ部１３１０は、画像形成装置１０１を含む外部機器との双方向通信を行う。
Ｉ／Ｏ部１３０５は、各種情報の入出力を制御するインタフェースである。タッチスクリーン制御部１３０６は、Ｉ／Ｏ部１３０５を介して受け付けた情報に基づいて、タッチスクリーン１３０７の表示を制御する。タッチスクリーン制御部１３０６は、また、ユーザが行ったタッチスクリーン１３０７への入力操作（タッチ操作）の受け付けを制御する。
なお、タッチスクリーン１３０７の液晶画面（表示画面）には、例えばＧＵＩ（Graphical User Interface）画面を形成し、ユーザからの操作の受け付けに必要な各種ウィンドウ、各種データ等が表示される。
【００１７】
＜画像形成装置の構成＞  
図３は、本実施形態に係る画像形成装置１０１のハードウェア構成の一例を示す図である。画像形成装置１０１は、スキャナ１０、プリンタ２０、操作部１４０、コントローラ１２００を含んで構成される。
スキャナ１０は、操作部１４０からの指示に従い、原稿を読み取って得た画像データを出力する。スキャナ１０は、当該スキャナ１０を制御するための図示しないＣＰＵ、原稿の読み取りを行うための図示しない照明ランプ、走査ミラーなどを有する。
プリンタ２０は、スキャナ１０が読み取った画像データを用紙に印刷する。プリンタ２０は、当該プリンタ２０を制御するための図示しないＣＰＵ、画像の形成、定着を行うための図示しない感光体ドラム、定着器などを有する。
操作部１４０は、例えばタッチスクリーンなどの各種情報の表示と操作入力を受け付けが可能な表示部を含んで構成される。操作部１４０はユーザからの操作入力に基づき、画像形成装置１０１が実行する各種ジョブの設定（例えば、初期設定）を行う。なお、操作装置１０２を用いて画像形成装置１０１が実行する各種ジョブの設定を行うように構成することもできる。
コントローラ１２００は、スキャナ１０、プリンタ２０、操作部１４０などを統括的に制御する。コントローラ１２００は、また、例えば無線ＬＡＮネットワーク１０５を介して通信可能に接続されている操作装置１０２との情報の授受を制御する。コントローラ１２００は、また、公衆回線（ＷＡＮ）３００１を介して接続される図示しない外部機器、有線ＬＡＮネットワーク１０４を介して接続される汎用コンピュータ１０３それぞれとの情報の授受を制御する。
以下、コントローラ１２００の構成の詳細について説明する。
【００１８】
＜コントローラの構成＞
コントローラ１２００は、ＣＰＵ１２０１、ＲＡＭ１２０２、ＲＯＭ１２０３、ＨＤＤ１２０４、ＩｍａｇｅＢｕｓＩ／Ｆ１２０５、操作部Ｉ／Ｆ１２０６、スキャナ・プリンタ通信Ｉ／Ｆ、Ｎｅｔｗｏｒｋ１２１０、モデム１２１１を含んで構成される。コントローラ１２００は、また、タイマ１２１２、デバイスＩ／Ｆ１２２０、ＲＩＰ（Raster image processor ）１２６０、画像回転部１２３０、画像圧縮部１２４０を有する。コントローラ１２００は、また、無線通信Ｉ／Ｆ１２７０、スキャナ画像処理部１２８０、プリンタ画像処理部１２９０、システムバス１２０７、画像バス２００８を有する。
【００１９】
ＣＰＵ１２０１は画像形成装置１０１を統括的に制御する。ＲＡＭ１２０２は、ＣＰＵ１２０１が動作するためのシステムワークメモリであり、画像データを一時記憶するための画像メモリでもある。ＲＯＭ１２０３は、ＣＰＵ１２０１が実行するブートプログラムを格納する。ＨＤＤ１２０４は、記憶装置の一例であり、システムソフトウエア、画像データ、ソフトウェアカウンタ値等の各種情報を格納する。
【００２０】
ＩｍａｇｅＢｕｓＩ／Ｆ１２０５は、データ構造を変換するバスブリッジであり、システムバス１２０７と画像バス２００８を接続する。システムバス１２０７は、スキャナ１０及びプリンタ２０それぞれと通信可能に接続されたスキャナ・プリンタ通信Ｉ／Ｆ１２０８、ＣＰＵ１２０１などを相互に接続するバスである。画像バス２００８は、スキャナ１０及びプリンタ２０それぞれと通信可能に接続されたデバイスＩ／Ｆ１２２０、ＲＩＰ１２６０などを相互に接続し、画像データを高速で転送するバスである。
【００２１】
操作部Ｉ／Ｆ１２０６は、操作部１４０との間の情報の授受を制御するインタフェースである。Ｎｅｔｗｏｒｋ（ネットワーク）部１２１０は、有線ＬＡＮネットワーク１０４を介して接続されている汎用コンピュータ１０３、あるいは有線ＬＡＮネットワーク１０４上のその他のコンピュータ端末とのデータ通信（送受信）を制御する。モデム１２１１は、公衆回線３００１に接続されている図示しない外部のファクシミリ装置とのデータ通信を制御する。無線通信Ｉ／Ｆ１２７０は、無線ＬＡＮネットワーク１０５を介して接続された操作装置１０２とのデータ通信を制御する。タイマ１２１２は、予め設定された時間が経過したか否かを検知する。
スキャナ・プリンタ通信Ｉ／Ｆ１２０８は、プリンタ２０における用紙の供給タイミングから画像形成後の用紙の排紙タイミングに至るまでの、印刷プロセス全般における同期制御（タイミング制御）を行う。
【００２２】
ＲＩＰ１２５０は、ラスターイメージプロセッサであり、例えば汎用コンピュータ１０３から受信した印刷ジョブに含まれるＰＤＬ（ページ記述言語）コードをビットマップイメージに展開する。スキャナ画像処理部１２８０は、スキャナ１０が読み取った画像データに対して、補正、加工、編集等の処理を行う。プリンタ画像処理部１２９０は、プリンタ２０で出力（印刷）される画像データに対して補正、解像度変換等の処理を行う。
画像回転部１２３０は、プリンタ２０で出力（印刷）される画像データに対して、印刷設定に応じた回転処理を行う。画像圧縮部１２４０は、画像データに対して圧縮伸張処理を行う。例えば、多値画像データであればＪＰＥＧ（Joint Photographic Experts Group）の圧縮伸張処理を行う。また、２値画像データであればＪＢＩＧ（ Joint Bi-level Image Experts Group）、ＭＭＲ（Modified Modified READ）、又はＭＨ（Modified Huffman）の圧縮伸張処理を行う。
デバイスＩ／Ｆ１２２０は、スキャナ１０及びプリンタ２０と接続されており、画像バス２００８を介して画像データの同期系／非同期系の変換を行う。
【００２３】
なお、コントローラ１２００は、印刷またはコピーなどの各種ジョブを実行した際のログ情報をジョブログ情報としてＨＤＤ１２０４、あるいはＲＡＭ１２０２に記録する。ジョブログ情報は、例えばユーザ名、印刷部数、カラー印刷あるいはモノクロ印刷の別、出力属性情報等である。
また、操作装置１０２のタッチパネルスクリーン１３０７に表示されるプレビュー画像は、プリントデータあるいはスキャナ１０により読み取られた画像データに基づいて、ＣＰＵ１２０１により生成される。このように、ＣＰＵ１２０１は、プレビュー画像生成部としても機能する。生成されたプレビュー画像は、無線通信Ｉ／Ｆ１２７０を介して、操作装置１０２に向けて送信される。
【００２４】
＜操作装置の機能構成＞
図４は、操作装置１０２の機能構成の一例を示すブロック図である。
操作装置１０２の各機能は、ＣＰＵ１３０１がＨＤＤ１３０４に格納されたジョブ制御プログラムをＲＡＭ１３０２に読み出し、実行することにより実現される。このように、操作装置１０２は、画像形成装置１０１が実行する印刷ジョブを制御するための操作部として機能する。以下、各機能について詳細に説明する。
【００２５】
操作装置１０２は、表示制御部４０１、タッチ操作検知部４０２、操作受付部４０３、タッチ状態判別部４０４、通信制御部４０５、ジョブ制御部４０６、画像情報記録部４０７を含んで構成される。
表示制御部４０１は、ジョブ制御部４０６が受け付けた操作情報、通信制御部４０５を介して受け付けた画像形成装置１０１からのジョブ情報に基づき、タッチスクリーン１３０７の表示内容を更新する。操作情報とは、例えばタッチスクリーン１３０７上をタッチしたポイント（タッチポイント）から指をスライドさせた方向に対応付けられた、印刷ジョブに対する印刷開始、中断、キャンセル、中断後の再開等を指示する情報である。
ジョブ情報とは、例えば画像形成装置１０１による印刷の実行、中断、キャンセル、あるいは印刷の終了、紙詰まり（ジャム）発生からの印刷再開等の当該画像形成装置１０１の状態を示す情報である。その他にも、用紙カセットから用紙を供給するタイミング、トナーを定着するタイミング、画像形成後の用紙を排出するタイミングなどを含む情報である。
例えば、画像形成装置０１０においてあるページの印刷が終了したとする。この場合、表示制御部４０１は、画像形成装置１０１の用紙カセット（不図示）から新たな用紙が供給されるタイミングに合わせて、タッチスクリーン１３０７の表示内容を更新する。表示内容を更新する制御（表示制御）の詳細については、後述する。
【００２６】
タッチ操作検知部４０２は、タッチスクリーン制御部１３０６を介して、ユーザが行うタッチスクリーン１３０７へのタッチ操作を検知する。具体的には、タッチ操作検知部４０２は、ユーザのタッチポイントとタッチの軌跡を検知する。
タッチ状態判別部４０４は、タッチ操作検知部４０２の検知結果に基づき、検知されたタッチ状態が特定の操作を指示するものであるか否かを判別する。
【００２７】
操作受付部４０３は、タッチ操作検知部４０２の検知結果と、タッチ状態判別部４０４から受け付けた判別結果とに基づき、ユーザから受け付けた操作内容に対応する操作情報を特定する。操作受付部４０３により特定された操作情報は、ジョブ制御部４０６に伝達される。
操作内容は、例えばユーザが指先でタッチスクリーン１３０７をタッチしたタッチポイントの座標（タッチ座標）、タッチしたまま指先をスライドさせたときの軌跡などである。なお、操作内容に対応付けられた、印刷開始、中断、キャンセル、中断後の再開等の操作情報は、予め例えばＨＤＤ１３０４に格納される。
【００２８】
また、操作情報には、印刷速度の変更を指示する情報も含まれる。操作受付部４０３により印刷速度を変更する操作情報であると特定された場合、当該操作情報はジョブ制御部４０６および通信制御部４０５を介して、画像形成装置１０１に伝達される。画像形成装置１０１は、印刷速度を受け付けた操作情報に応じた速度に変更する。
また、この操作情報はジョブ制御部４０６を介して表示制御部４０１に伝達される。表示制御部４０１は、変更された印刷速度に応じた速度で表示内容を更新する。
【００２９】
例えば、タッチスクリーン１３０７に表示されたプレビュー画像は、印刷ジョブの実行状況（進捗状況）に応じて画面上を移動するように表示される。そのため、画像形成装置１０１の印刷速度（処理速度）が早い場合には、画面上に表示されたプレビュー画像もその速度に応じてすばやく画面上を移動することになる。つまり、表示内容の更新のタイミングによっては、ユーザは、プレビュー画像に対する操作が既に行えない状態になってしまう場合があるためである。
【００３０】
ジョブ制御部４０６は、操作情報を操作受付部４０３から受け付けると共に、通信制御部４０５を介して画像形成装置１０１からジョブ情報を受け付ける。ジョブ制御部４０６は、また、通信制御部４０５を介して画像形成装置１０１へ操作情報を送信する。これにより、画像形成装置１０１においてその後実行される印刷ジョブの内容が変更される。
ジョブ制御部４０６は、受け付けた操作情報及びジョブ情報に基づき、当該画像形成装置１０１における印刷ジョブの実行タイミングと、タッチスクリーン１３０７の表示内容の更新タイミングとが同期するように制御する。印刷ジョブの実行タイミングは、例えば画像形成装置１０１における給紙のタイミング、画像定着のタイミング、排紙のタイミングなどのタイミングである。
【００３１】
画像情報記録部４０７は、通信制御部４０５を介して受け付けたプレビュー画像を、例えばＲＡＭ１３０２に格納する。通信制御部４０５は、画像形成装置１０１と操作装置１０２との情報の授受を制御する。
【００３２】
なお、上記説明した操作装置１０２の機能構成は一例であり、ユーザの操作を検知して画像形成装置１０１が実行する印刷ジョブの制御が可能であり、且つ、印刷ジョブの実行状況に同期して表示内容を更新することができる構成であれば良い。
また、表示制御部４０１による画面表示の更新のタイミングは、前述した給紙タイミングに限定されることなく、例えば、汎用コンピュータ１０３からのプリントデータ（印刷画像データ）の受信タイミングであっても良い。
また、画像形成装置１０１が有する操作部１４０により上記説明した操作装置１０２の各機能を実現するように構成することもできる。
【００３３】
＜プレビュー画面の表示例＞
図５は、プレビュー画面の構成の一例を示す図である。
タッチスクリーン１３０７上のプレビュー画面５０１は、図５に示すように、プレビュー画像を表示するプレビュー画像表示領域５０２と、ジョブに関する情報を表示するジョブ情報表示欄５０３とを含んで構成される。プレビュー画像表示領域５０２は、図５に示すように、例えばプリントデータの１ページから４ページ（図５中１、２、３、４と表示）までの４つのプレビュー画像を表示することができるように構成される。
また、ジョブ情報表示欄５０３のジョブに関する情報とは、実行中のジョブのステイタス、印刷中に発生したエラーの内容などである。図５に示すジョブ情報表示欄５０３では、印刷が実行中であることを表す「印刷中です。」と印刷が実行されていることを表示された例を示している。
例えば、汎用コンピュータ１０３から受信したデータを印刷する際のプレビュー画像の表示は、タッチスクリーン１３０７の表示画面上に表示された図示しないプレビュー指示ボタンをユーザがタッチすることにより行う。その結果、印刷プレビュー画面５０１上にプレビュー画像が表示される。また、スキャナ１０により原稿を読み取り印刷する際のプレビュー画像の表示も同様にして行われる。
【００３４】
＜印刷実行を指示する際のプレビュー画面の表示制御例＞
図６は、プレビュー画面５０１に表示されたプレビュー画像を介して行う印刷実行の指示を説明するための図である。
図６（ａ）に示すプレビュー画面５０１には、プリントデータ（ｍｙ文書．ｐｄｆ）の最初の４ページのプレビュー画像が表示されている。プレビュー画面５０１に表示されたプレビュー画像６０２は、プリントデータの最初のページのプレビュー画像であり、当該プレビュー画像６０２を操作することにより印刷実行を指示する。なお、ジョブ情報表示欄５０３には、プリントデータのファイル名称（ｍｙ文書．ｐｄｆ）が表示されている。
【００３５】
印刷実行の指示は、図６（ａ）に示すように、プレビュー画像６０２上のタッチポイント６０３をタッチし、タッチ状態を維持したまま、図６（ｂ）に示すタッチポイント６０４までドラック操作を行う。そして、タッチポイント６０４までドラック操作を行った後に、タッチ状態を解除する。タッチ状態の解除を契機に、画像形成装置１０１は、プリントデータの印刷を開始する。なお、タッチポイント６０４は、プレビュー画面５０１の左端部に位置する。また、図６（ｂ）に示すように、プレビュー画像６０２は、ユーザのドラック操作に応じてその表示位置が変化し、これに連動して、他のプレビュー画像の表示位置も変化する。つまり、印刷ジョブの実行状況（印刷動作）と連動してプレビュー画面５０１の表示内容が更新される。
ジョブ情報表示欄５０３には、図６（ｂ）に示すように、例えば「印刷を受け付けました。」と印刷実行の指示が受け付けられたことを表す情報が表示される。
【００３６】
また、ユーザの操作が、印刷実行の指示であるか、あるいはプレビュー画像の表示位置を変えるための操作であるかは、ドラック操作後のタッチ解除が印刷プレビュー画面５０１の端部であるか否かにより判別する。具体的には、ユーザのドラック操作が印刷プレビュー画面５０１の端部（左端部）にまで到達してからタッチ解除されたとタッチ操作検知部４０２が検知した場合には、印刷実行の指示であると判別する。
【００３７】
上記した例では、プレビュー画像６０２、つまり、プリントデータにおける最初のページのプレビュー画像を操作し、それ以降のページの印刷を実行する場合の操作について説明した。この他にも、任意のページから印刷が開始されるように操作することもできる。具体的には、図６（ａ）に示すプレビュー画像６０２の右隣に表示されているプレビュー画像（２）以降を印刷したい場合には、当該プレビュー画像（２）をタッチして同様の操作を行えば良い。
印刷実行の指示のパターンは、上記の例に限定されることなく、例えば印刷実行を指示する操作と、プレビュー画像の表示位置を移動させる操作とが識別可能な形態の操作であれば良い。
【００３８】
＜印刷動作と連動するプレビュー画面の表示制御例＞
図７は、プレビュー画面５０１の表示内容が印刷動作に連動して更新されることを説明するための図である。
図７（ａ）に示すプレビュー画面５０１には、プリントデータ（ｍｙ文書．ｐｄｆ）の最初の４ページのプレビュー画像が表示されている。プレビュー画面５０１に表示されているプレビュー画像７０２は、プリントデータの最初のページのプレビュー画像である。また、プレビュー画面５０１外のプレビュー画像は、プリントデータの５ページ目から７ページまでのプレビュー画像である。なお、この５ページ目のプレビュー画像７０４から７ページ目のプレビュー画像までは、印刷プレビュー画面５０１には表示されていない。
【００３９】
また、印刷プレビュー画面５０１に表示されている各プレビュー画像の表示位置は、印刷ジョブの進捗状況に応じて、図７（ａ）中に示す矢印線の方向に向けて移動するように制御される。具体的には、ジョブ制御部４０６が通信制御部４０５を介して受け付けたジョブ情報（印刷の終了）の受け付けタイミングと同期して、表示制御部４０１が印刷プレビュー画面５０１の表示内容を更新する。
例えば、印刷が終了したプリントデータのプレビュー画像が図７（ａ）に示すプレビュー画像７０２であるとする。この場合、プレビュー画像７０２は、図７（ｂ）に示すように、プレビュー画面５０１の左端部から排出されるように移動し、その後プレビュー画面５０１上から完全に消去される。これに合わせて、新たなページのプレビュー画像、例えばプレビュー画像７０４がプレビュー画面５０１の右端部から進入するように移動し、その後当該プレビュー画面５０１上に表示される（図７（ｂ））。
【００４０】
また、プレビュー画面５０１の更新においては、ジョブ制御部４０６が受け付けた印刷設定のレイアウト情報に基づき、一枚の用紙に印刷されるページ数に応じたプレビュー画像数だけ移動するように制御される。具体的には、図７（ｃ）に示すように、例えば印刷設定が両面印刷、あるいは２ｉｎ１縮小レイアウト印刷等の１枚の用紙に対して複数の画像を形成する印刷レイアウト設定である場合、２つのプレビュー画像を一組として移動するように制御される。
このように印刷プレビュー画面５０１の表示内容が制御されることにより、ユーザは、印刷の進行状況を直感的に把握することができる。
【００４１】
＜ジャム発生時のプレビュー画面の表示制御例＞
図８は、印刷ジョブの実行中に紙詰まり（ジャム）が発生した際のプレビュー画面の表示例を示す図である。つまり、プレビュー画面の表示内容が印刷ジョブの実行状況に連動して更新される。なお、画像形成装置１０１が有する図示しないセンサにより、当該画像形成装置１０１においてジャムが発生したこと、及び、ジャム紙が取り除かれたことを検知することができる。
図８（ａ）に示すプレビュー画面５０１には、プリントデータの２ページ目から５ページ目までのプレビュー画像が表示されている。プレビュー画面５０１に表示されているプレビュー画像８０２は、プリントデータの２ページ目のプレビュー画像である。
例えば、プリントデータの２ページ目を印刷している途中にジャムが発生した場合、印刷ジョブが中断されると共に、図８（ａ）に示すように、当該２ページ目のプレビュー画像であるプレビュー画像８０２上に「×」印が表示されるように制御される。具体的には、ジョブ制御部４０６が通信制御部４０５を介して受け付けたジョブ情報（ジャムの発生）の受け付けタイミングと同期して、表示制御部４０１が印刷プレビュー画面５０１の表示内容を更新する。また、ジョブ情報表示欄５０３には、ジャムが発生したことを表す情報（ＪＡＭが発生しました。）が表示される。このように印刷プレビュー画面５０１の表示内容が制御されることにより、ユーザは、ジャム発生を直感的に把握することができる。
【００４２】
また、ユーザによりジャム紙が取り除かれたと検知された場合、「×」印が付されたプレビュー画像８０２に替えて、当該「×」印がない状態のプレビュー画像８０２が表示されるようにプレビュー画面５０１の表示内容が更新される。具体的には、ジョブ制御部４０６が通信制御部４０５を介して受け付けたジョブ情報（ジャム紙の排除）の受け付けタイミングと同期して、表示制御部４０１が印刷プレビュー画面５０１の表示内容を更新する。また、ジョブ情報表示欄５０３には、ジャム紙が取り除かれたことを表す情報（ＪＡＭがリカバリされました。）が表示される。このように印刷プレビュー画面５０１の表示内容が制御されることにより、ユーザは、ジャム発生に正しく対処できたことを直感的に把握することができる。
【００４３】
また、ユーザによりジャム紙が取り除かれた後の印刷ジョブの再開（印刷再開）の指示は、図８（ｂ）に示すように、タッチアンドドラック操作８０４により行うことができる。タッチアンドドラック操作８０４とは、印刷を再開する際の最初のページのプレビュー画像（２）上をタッチし、一旦、右方向に向けてドラック操作を行う。その後、印刷実行の指示の場合と同様に、プレビュー画面５０１の左端部に向けてさらにドラック操作を行い、タッチ状態を解除する。タッチ状態の解除を契機に、操作装置１０２は、印刷再開の指示を画像形成装置１０１に送信する。つまり、印刷ジョブが中断の状態から再開の状態へ変更する。
【００４４】
＜印刷中断を指示する際のプレビュー画面の表示制御例＞
図９は、プレビュー画面５０１に表示されたプレビュー画像を介して行う印刷中断の指示を説明するための図である。
図９（ａ）に示すプレビュー画面５０１には、プリントデータ（ｍｙ文書）の最初の４ページのプレビュー画像が表示されている。例えば、プリントデータの４ページ目以降の印刷を中断したい場合、当該４ページ目のプレビュー画像であるプレビュー画像９０２上のタッチポイント９０３を所定時間（例えば、３秒）タッチし続けることで、４ページ目以降の印刷中断を指示する。具体的には、操作受付部４０３が特定した操作情報（印刷中断）がジョブ制御部４０６、通信制御部４０５を介して画像形成装置１０１に伝達される。また、ジョブ情報表示欄５０３には、印刷が中断されたことを表す情報（印刷の中断を受け付けました。）が表示される。
【００４５】
プレビュー画像９０２以降の印刷が中断された場合には、図９（ｂ）に示すように、当該プレビュー画像９０２より前のプレビュー画像（プレビュー画像９０４）は、印刷終了に伴い、プレビュー画面５０１上から消去される。このように印刷プレビュー画面５０１の表示内容が制御されることにより、ユーザは、どのページで印刷を中断したのかを直感的に把握することができる。
なお、印刷実行の指示と同様の操作を行うことにより、中断した印刷を再開することができる。
【００４６】
＜印刷キャンセルを指示する際のプレビュー画面の表示制御例＞
図１０は、プレビュー画面５０１に表示されたプレビュー画像を介して行う印刷キャンセルの指示を説明するための図である。
図１０（ａ）に示すプレビュー画面５０１には、印刷が中断された状態でプレビュー画像１００２が表示されており、当該プレビュー画像１００２以降の印刷をキャンセルする場合の操作について説明する。
印刷キャンセルの指示は、図１０（ａ）に示すように、プレビュー画像１００２上のタッチポイント１００３をタッチし、タッチ状態を維持したまま、図１０（ｂ）に示すタッチポイント１００４までドラック操作を行う。そして、タッチポイント１００４までドラック操作を行った後に、タッチ状態を解除する。タッチ状態の解除を契機に、画像形成装置１０１は、プリントデータの印刷をキャンセルする。また、図１０（ｂ）に示すように、プレビュー画像１００２は、ユーザのドラック操作に応じてその表示位置が変化し、これに連動して、他のプレビュー画像の表示位置も変化する。
ジョブ情報表示欄５０３には、図１０（ｂ）に示すように、例えば「印刷のキャンセルを受け付けました。」と印刷キャンセルの指示が受け付けられたことを表す情報が表示される。
【００４７】
また、ユーザの操作が、印刷キャンセルの指示であるか、あるいはプレビュー画像の表示位置を変えるための操作であるかは、ドラック操作後のタッチ解除が印刷プレビュー画面５０１の左端部であるか否かにより判別する。具体的には、ユーザのドラック操作が印刷プレビュー画面５０１の端部（右端部）にまで到達してからタッチ解除されたとタッチ操作検知部４０２が検知した場合には、印刷キャンセルの指示であると判別する。
【００４８】
上記した例では、プレビュー画像１００２、つまり、印刷が中断されたページのプレビュー画像を操作し、それ以降のページの印刷をキャンセルする場合の操作について説明した。この他にも、印刷が実行されている際に、任意のページ以降の印刷がキャンセルされるように操作することもできる。
印刷キャンセルの指示のパターンは、上記の例に限定されることなく、例えば印刷キャンセルを指示する操作と、プレビュー画像の表示位置を移動させる操作とが識別可能な形態の操作であれば良い。
【００４９】
＜ジョブ制御受付動作フロー＞
図１１は、印刷ジョブ制御の処理手順の一例を示すフローチャートである。なお、画像形成装置１０１に備わるスキャナ１０で原稿を読み取り、読み取った画像データをプリンタ２０で印刷する場合を例に挙げて説明を進める。
【００５０】
ＣＰＵ１３０１は、ユーザからの印刷設定の入力を受け付ける（Ｓ１１０１）。受け付けた印刷設定は、印刷設定情報として画像形成装置１０１へ送信される。
ＣＰＵ１３０１は、ユーザからプレビュー画像の表示指示を受け付けたか否かを判別する（Ｓ１１０２）。プレビュー画像の表示指示を受け付けた場合（Ｓ１１０２：Ｙｅｓ）、ＣＰＵ１３０１は、原稿のスキャン開始を指示する（Ｓ１１０３）。また、そうでない場合（Ｓ１１０２：Ｎｏ）、プレビュー画像の表示指示を受け付けるまで待機する。
【００５１】
ＣＰＵ１３０１は、ステップＳ１１０３の処理においてスキャンされた原稿の画像データに基づき画像形成装置１０１が生成したプレビュー画像を受け付け、受け付けたプレビュー画像をプレビュー画面５０１に表示する（Ｓ１１０４）。なお、ステップＳ１１０１の処理において受け付けた印刷設定に応じてプレビュー画像は生成される。例えば、印刷設定が両面印刷あるいは２ｉｎ１の印刷レイアウト設定である場合、２つのプレビュー画像を一組として移動させるのに適した数のプレビュー画像を表示する。
【００５２】
ＣＰＵ１３０１は、印刷実行の指示（図６参照）を受け付けたか否かを判別する（Ｓ１１０５）。印刷実行の指示を受け付けたと判別した場合（Ｓ１１０５：Ｙｅｓ）、ＣＰＵ１３０１は、画像形成装置１０１に対して印刷ジョブの実行開始の指示を通知する。これと共に、印刷ジョブの実行状況に連動してプレビュー画面５０１の表示内容の更新を開始する（図７参照）。また、ＣＰＵ１３０１は、プレビュー画面５０１の更新速度の変更を受け付ける（Ｓ１１０６）。この処理の詳細については、図１３、図１４を用いて後述する。
【００５３】
ＣＰＵ１３０１は、印刷中断の指示（図９参照）を受け付けたか否かを判別する（Ｓ１１０７）。印刷中断の指示を受け付けなかった場合（Ｓ１１０７：Ｎｏ）、ＣＰＵ１３０１は、用紙の供給が開始されたか否かを判別する（Ｓ１１０８）。用紙の供給が開始されていないと判別した場合（Ｓ１１０８：Ｎｏ）、ＣＰＵ１３０１は、用紙の供給が開始されるまで処理を待機する。また、用紙の供給が開始されたと判別した場合（Ｓ１１０８：Ｙｅｓ）、ＣＰＵ１３０１は、ジャム発生が検知されたか否かを判別する（Ｓ１１０９）。ジャム発生が検知されたと判別した場合（Ｓ１１０９：Ｙｅｓ）、ＣＰＵ１３０１は、プレビュー画面５０１の表示内容をジャム発生を示す表示内容（図８参照）に更新する（Ｓ１１１０）。この処理の詳細については、図１２を用いて後述する。
【００５４】
ＣＰＵ１３０１は、印刷設定に応じた全ページ分の給紙が完了したか否かを判別する（Ｓ１１１１）。全ページ分の給紙が完了していない場合（Ｓ１１１１：Ｎｏ）、印刷ジョブの実行状況に連動してプレビュー画面５０１の表示内容を更新する（Ｓ１１１２）。また、そうでない場合（Ｓ１１１１：Ｙｅｓ）、ＣＰＵ１２０１は、一連の処理を終了する。
【００５５】
ＣＰＵ１３０１は、ステップＳ１１０７の処理において印刷中断の指示を受け付けた場合（Ｓ１１０７：Ｙｅｓ）、画像形成装置１０１に対して印刷中断の指示を通知する。また、ＣＰＵ１３０１は、プレビュー画面５０１の表示内容を印刷中断を示す表示内容（図９参照）に更新する（Ｓ１１１３）。
ＣＰＵ１３０１は、印刷キャンセルの指示（図１０参照）を受け付けたか否かを判別する（Ｓ１１１４）。印刷キャンセルの指示を受け付けた場合（Ｓ１１１４：Ｙｅｓ）、ＣＰＵ１３０１は、その後の印刷を全てキャンセルする（Ｓ１１１５）。また、そうでない場合（Ｓ１１１４：Ｎｏ）、ＣＰＵ１３０１は、印刷再開の指示（図６、図９参照）を受け付けたか否かを判別する（Ｓ１１１６）。印刷再開の指示を受け付けた場合（Ｓ１１１６：Ｙｅｓ）、ＣＰＵ１３０１は、画像形成装置１０１に対して印刷再開の指示を通知する（Ｓ１１１７）。また、そうでない場合（Ｓ１１１６：Ｎｏ）、ステップＳ１１１４の処理へ戻る。
【００５６】
＜ジャム発生時の処理フロー＞
図１２は、ジャム発生時（図１１、ステップＳ１１１０）の処理手順の詳細を示すフローチャートである。なお、図８において既に説明した、ジャム発生時のプレビュー画面の表示制御を参照しながら説明を進める。
ＣＰＵ１３０１は、画像形成装置１０１からジャム発生のジョブ情報を受け付けた場合、当該ジャム発生を示す表示に印刷プレビュー画面５０１の表示内容を更新する（Ｓ１２０１）。
ＣＰＵ１３０１は、ジャム紙が取り除かれたか否かを判別する（Ｓ１２０２）。具体的には、画像形成装置１０１からユーザによりジャム紙が取り除かれたとのジョブ情報を受け付けたか否かにより判別する。ジャム紙が取り除かれたと判別した場合（Ｓ１２０２：Ｙｅｓ）、ＣＰＵ１３０１は、印刷再開の指示を受け付けたか否かを判別する（Ｓ１２０３）。印刷再開の指示を受け付けた場合（Ｓ１２０３：Ｙｅｓ）、ＣＰＵ１３０１は、画像形成装置１０１に対して印刷再開の指示を通知する（Ｓ１２０４）。
【００５７】
＜更新速度の変更を指示する際のプレビュー画面の表示制御例＞
図１３は、印刷動作と連動して更新されるプレビュー画面５０１の更新速度を変更する操作について説明するための図である。
図１３に示すプレビュー画面５０１には、当該画面の更新速度を調整するための更新速度調整スライダ１４０２、調整後の更新速度をプレビューする速度調整プレビューボタン１４０４が表示される。また、ジョブ情報表示欄５０３には、調整前の更新速度と調整後の更新速度を示す情報（３０ｐｐｍ→２５ｐｐｍ）が表示される。
【００５８】
ユーザは、更新速度調整スライダ１４０２を操作することにより、プレビュー画面５０１上のプレビュー画像の移動速度を所望の速度に変更（調整）することができる。図１３に示す更新速度調整スライダ１４０２では、一例として、「普通（例えば、３０ｐｐｍ）」の速度から、「遅く（例えば、２５ｐｐｍ）」の範囲内で調整が可能である。
【００５９】
なお、ユーザが更新速度調整を行うタイミングは、例えば印刷設定入力（図１１、ステップＳ１１０１）の際に行ったり、あるいは印刷ジョブの実行中に行ったりすることができる。
【００６０】
＜プレビュー画面の更新速度変更時の処理フロー＞
図１４は、プレビュー画面５０１の更新速度の変更（図１１、ステップＳ１１０６）の処理手順の詳細を示すフローチャートである。なお、ステップＳ１１０６の処理は、印刷ジョブの実行中に行う更新速度の変更である。なお、ＣＰＵ１３０１は、更新速度を変更する調整手段として機能する。
ＣＰＵ１３０１は、ユーザから更新速度の変更指示を受け付けたか否かを判別する（Ｓ１３０１）。更新速度の変更指示を受け付けた場合（Ｓ１３０１：Ｙｅｓ）、ＣＰＵ１３０１は、変更後の更新速度によりプレビュー画面５０１の更新を行うと共に、画像形成装置１０１に向けて変更後の更新速度を通知する（Ｓ１３０２）。通知を受けた画像形成装置１０１では、その後実行される印刷ジョブの印刷速度が変更後の更新速度に応じた速度に変更される。
ＣＰＵ１３０１は、ジョブ情報表示欄５０３に調整前の更新速度と調整後の更新速度を示す情報を表示する（Ｓ１３０３）。
【００６１】
なお、更新速度の変更に伴う画像形成装置１０１の印刷速度の変更は、例えば印刷速度の変更の通知の受け付けを契機に、印刷ジョブにおいて用紙を供給するタイミングを調整して給紙間隔を長くとるなどの速度調整を行う。
【００６２】
このように、本実施形態の画像形成装置１０１では、操作装置１０２を介して印刷ジョブの中断、キャンセル、当該中断後の印刷再開の指示をプレビュー画像を操作することにより行うことができる。これにより、ユーザは、操作装置１０２の表示画面を視認して画像形成装置１０１における印刷ジョブの実行状況を直感的に把握しながら、操作毎に当該印刷ジョブの内容の変更を指示することができる。
【００６３】
なお、本実施形態において説明した印刷ジョブの制御は、コンピュータにジョブ制御プログラム（コンピュータプログラム）をインストールすることにより実現することもできる。また、ジョブ制御プログラムをコンピュータにおいて実行可能に記録した記録媒体も本発明の範囲に含まれることは、言うまでもない。
上記説明した実施形態は、本発明をより具体的に説明するためのものであり、本発明の範囲が、これらの例に限定されるものではない。
【符号の説明】
【００６４】
１０１・・・画像形成装置、１０２・・・操作装置、１０４・・・有線ＬＡＮネットワーク、１０５・・・無線ＬＡＮネットワーク、５０１・・・プレビュー画面、５０２・・・プレビュー画像表示領域、５０３・・・ジョブ情報表示領域、６０２、７０２、７０４、８０２、９０２、９０４、１００３・・・プレビュー画像、６０３、６０４、９０３、１００３、１００４、・・・タッチポイント８０４・・・タッチアンドドラック操作、Ａ、Ｂ・・・ユーザ、Ｓ・・・画像形成システム。
【図１】
2018183998.tif 000003
【図２】
2018183998.tif 000004
【図３】
2018183998.tif 000005
【図４】
2018183998.tif 000006
【図５】
2018183998.tif 000007
【図６】
2018183998.tif 000008
【図７】
2018183998.tif 000009
【図８】
2018183998.tif 000010
【図９】
2018183998.tif 000011
【図１０】
2018183998.tif 000012
【図１１】
2018183998.tif 000013
【図１２】
2018183998.tif 000014
【図１３】
2018183998.tif 000015
【図１４】
2018183998.tif 000016